(57)【特許請求の範囲】
【請求項１】
交流電圧を直流電圧に変換するコンバーターと、
前記コンバーターに電気的に接続し、電荷を蓄積し又は放電することが可能な電荷蓄積部と、
前記コンバーター及び前記電荷蓄積部に電気的に接続する制御部と、
前記制御部から高信号又は低信号が供給されることに基づいて、グランドへの接続とグランドへの非接続とが切り替えられる第４スイッチ回路と、
前記コンバーターと前記電荷蓄積部との間に電気的に接続されると共に、第１開閉制御端子と前記コンバーター及び第４スイッチ回路とが接続され、
前記第４スイッチ回路が電気的に接続された場合に、前記コンバーターから出力された直流電圧が前記第４スイッチ回路を介してグランドに流れることにより、前記第１開閉制御端子に前記コンバーターから直流電圧が供給されずに、前記コンバーターと前記電荷蓄積部を電気的に非接続にし、
前記第４スイッチ回路が電気的に非接続にされた場合に、前記コンバーターから出力された直流電圧が前記第１開閉制御端子に供給されることにより、前記コンバーターと前記電荷蓄積部とを電気的に接続にする第１スイッチ回路と、
前記電荷蓄積部と前記制御部との間に電気的に接続され、前記コンバーターに電気的に接続される第２開閉制御端子に前記コンバーターから直流電圧が出力される場合に前記電荷蓄積部と前記制御部とを電気的に接続し、前記第２開閉制御端子に前記コンバーターから直流電圧が出力されない場合に前記電荷蓄積部と前記制御部とを電気的に非接続とする第２スイッチ回路と、
前記コンバーターの入力側に電気的に接続され、交流電圧が前記コンバーターに入力されるのを遮断することが可能な第３スイッチ回路と、を備え、
前記第３スイッチ回路によって前記コンバーターに入力される交流電圧が遮断された場合、前記コンバーターから直流電圧が出力されなくなることにより、前記第２スイッチ回路の前記第２開閉制御端子に直流電流が供給されず、前記第２スイッチ回路によって、前記電荷蓄積部及び前記コンバーターと、前記制御部とが電気的に非接続となり、
前記電荷蓄積部を充電する場合には、前記第４スイッチ回路を電気的に非接続にすることにより、前記第１スイッチ回路が電気的に接続となる共に、前記第２スイッチ回路を電気的に接続とし、
前記電荷蓄積部を放電する場合には、前記第４スイッチ回路を電気的に接続にすることにより、前記第１スイッチ回路が電気的に非接続となると共に、前記第２スイッチ回路を電気的に接続とする
電子機器。
【請求項２】
前記制御部は、消費電力を低減させるために前記第１スイッチ回路を非接続にするよう制御している場合に、前記制御部に入力される直流電圧の電圧値を検知した結果が所定の電圧値未満になると、前記第４スイッチ回路が電気的に非接続となるよう制御して、前記第１スイッチ回路を電気的に接続とし、
前記所定の電圧値は、前記制御部が動作する最低動作電圧よりも高い電圧値である
請求項１に記載の電子機器。
【発明の詳細な説明】
【技術分野】
【０００１】
本発明は、各部に供給される電力を遮断することが可能な電子機器に関する。
【背景技術】
【０００２】
電子機器の一例としては、プリンターやコピー機等の画像形成装置が挙げられる。画像形成装置には、用紙に画像を形成することが可能な通常モードと、消費電力を低減するために用紙に画像を形成することができない省エネモードとを相互に移行させることが可能なものがある。そのような画像形成装置では、通常モードに設定された場合に、画像形成装置を構成する各部と蓄電池とに電力を供給して、各部を動作可能にさせると共に、蓄電池を充電させるようになっている。さらに、その画像形成装置では、省エネモードに設定された場合に、充電池から画像形成装置の各部に電力を供給するようになっている（特許文献１参照）。
【０００３】
また、画像形成装置には、１次側に配置されたＡＣスイッチと、２次側に配置されたＤＣスイッチとを備える電源装置が配置されるものがある。その電源装置は、ＡＣスイッチとＤＣスイッチとが連動して動作することにより、画像形成装置が停止した場合に、２次側に接続される負荷に電力が供給されることを防ぐようになっている（特許文献２参照）。
【先行技術文献】
【特許文献】
【０００４】
【特許文献１】特開２００４−７４５５８号公報
【特許文献２】特開２００４−３３６８９４号公報
【発明の概要】
【発明が解決しようとする課題】
【０００５】
しかしながら、特許文献１に記載された画像形成装置は、蓄電池から画像形成装置の各部に電力を供給している際に、画像形成装置の電源が遮断（オフ（ＯＦＦ））にされた場合でも、蓄電池から各部に電力を供給し続ける。これは、電源部がオフにされたことを検知する手段が画像形成装置に設けられていないためである。これにより、特許文献１に記載された画像形成装置は、蓄電池から画像形成装置の各部に電力を供給している際に、画像形成装置の電源がオフ（ＯＦＦ）にされた場合でも、システムをオフにすることができない可能性がある。
【０００６】
また、特許文献２に記載された電源装置は、ＡＣスイッチがオフにされた場合には、そのＡＣスイッチに連動してＤＣスイッチがオフになる。しかしながら、ＡＣスイッチに連動してＤＣスイッチをオフにするためには、電源装置は、例えば、フォトカプラー等の絶縁スイッチが必要となるため、消費電力が増加してしまう。
【０００７】
本発明は、消費電力が増加することを抑えつつ、電源が遮断にされた場合に装置全体への電力供給を確実に遮断する電子機器を提供することを目的とする。
【課題を解決するための手段】
【０００８】
本発明は、交流電圧を直流電圧に変換するコンバーターと、前記コンバーターに電気的に接続し、電荷を蓄積し又は放電することが可能な電荷蓄積部と、前記コンバーター及び前記電荷蓄積部に電気的に接続する制御部と、前記コンバーターと前記電荷蓄積部との間に電気的に接続され、前記制御部の制御に基づいて、前記コンバーターと前記電荷蓄積部とを電気的に接続し又は電気的に非接続とする第１スイッチと、前記電荷蓄積部と前記制御部との間に電気的に接続され、前記コンバーターから直流電圧が出力される場合に前記電荷蓄積部と前記制御部とを電気的に接続し、前記コンバーターから直流電圧が出力されない場合に前記電荷蓄積部と前記制御部とを電気的に非接続とする第２スイッチと、を備える電子機器に関する。
【０００９】
また、前記コンバーターの入力側には、交流電圧が前記コンバーターに入力されるのを遮断することが可能な第３スイッチが電気的に接続されることが好ましい。
【００１０】
また、前記制御部は、消費電力を低減させるために前記第１スイッチを非接続にするよう制御している場合に、前記制御部に入力される直流電圧の電圧値を検知した結果が所定の電圧値未満になると、前記第１スイッチを電気的に接続するよう制御することが好ましい。
【発明の効果】
【００１１】
本発明によれば、消費電力が増加することを抑えつつ、電源が遮断にされた場合に装置全体への電力供給を確実に遮断する電子機器を提供することができる。
【図面の簡単な説明】
【００１２】
【図１】電子機器の一実施形態に係るコピー機の全体構成を説明するための図である。
【図２】コピー機の機能構成を示すブロック図である。
【図３】コピー機の回路構成について説明するための図である。
【図４】省エネモードに設定された場合のコピー機の動作について説明するためのフローチャートである。
【図５】電流値と効率との関係を示す図である。
【発明を実施するための形態】
【００１３】
図面を参照して、本発明の電子機器の一実施形態について説明する。本発明の電子機器は、通常動作を行う通常モードと、消費される電力を低減させた省電力モードとを相互に移行させることが可能なものである。その電子機器の一例には、コピー機１（画像形成装置）が挙げられる。このため、以下では、コピー機を例示して説明する。まず、コピー機１の全体構成について説明する。図１は、電子機器の一実施形態に係るコピー機１の全体構成を説明するための図である。
【００１４】
図１に示すように、本実施形態のコピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１９】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。
【００２４】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００２５】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２６】
制御部９０は、原稿搬送部１０、原稿読取部２０、エンジン部３、操作部７０等を制御する。
【００２７】
次に、図３を参照して、本実施形態に係るコピー機１の特徴部分の回路構成について説明する。図３は、コピー機１の回路構成について説明するための図である。
【００２８】
コピー機１は、電力供給部１００（パワーサプライ）と、回路本体１２０とを備える。電力供給部１００は、ＡＣ／ＤＣコンバーター１０１（本発明の「コンバーター」に対応する）と、電荷蓄積部と、第１スイッチ１０２と、第２スイッチ１０３と、を備える。また、電力供給部１００の入力側の回路には、本体スイッチ１１１（本発明の「第３スイッチ」に対応する）が配置される。また、回路本体１２０は、上述した制御部９０を備える。制御部９０は、スリープＣＰＵ（Ｃｅｎｔｒａｌ  Ｐｒｏｃｅｓｓｉｎｇ  Ｕｎｉｔ）９１と、システムＣＰＵ９２とを備える。
【００２９】
本体スイッチ１１１は、コピー機１の電源をオン（ＯＮ）又はオフ（ＯＦＦ）にするスイッチである。すなわち、本体スイッチ１１１は、交流電圧がＡＣ／ＤＣコンバーター１０１に入力されるのを遮断することが可能である。
【００３０】
ＡＣ／ＤＣコンバーター１０１は、交流電圧を直流電圧に変換する。ＡＣ／ＤＣコンバーター１０１の入力側（１次側）には、本体スイッチ１１１が電気的に接続される。
【００３１】
電荷蓄積部は、電荷を蓄積し、蓄積した電荷を放電することができるものである。例えば、電荷蓄積部は、コンデンサである。以下では、電荷蓄積部を「第１コンデンサＣ１」として説明する。第１コンデンサＣ１は、ＡＣ／ＤＣコンバーター１０１に電気的に接続される。
【００３２】
制御部９０（スリープＣＰＵ９１）は、ＡＣ／ＤＣコンバーター１０１及び第１コンデンサＣ１に電気的に接続される。
【００３３】
第１スイッチ１０２は、ＡＣ／ＤＣコンバーター１０１と第１コンデンサＣ１との間に電気的に接続される。そして、第１スイッチ１０２は、制御部９０（スリープＣＰＵ９１）の制御に基づいて、ＡＣ／ＤＣコンバーター１０１と第１コンデンサＣ１とを電気的に接続し又は電気的に非接続とする。
【００３４】
第２スイッチ１０３は、第１コンデンサＣ１と制御部９０（スリープＣＰＵ９１）との間に電気的に接続される。そして、第２スイッチ１０３は、ＡＣ／ＤＣコンバーター１０１から直流電圧が出力される場合に、第１コンデンサＣ１と制御部９０とを電気的に接続する。一方、第２スイッチ１０３は、ＡＣ／ＤＣコンバーター１０１から直流電圧が出力されない場合に、第１コンデンサＣ１と制御部９０とを電気的に非接続とする。
【００３５】
上述した制御部９０（スリープＣＰＵ９１）は、消費電力を低減させるために第１スイッチ１０２を非接続にするよう制御している場合に、制御部９０に入力される直流電圧の電圧値を検知した結果が所定の電圧値未満になると、第１スイッチ１０２を電気的に接続にするよう制御する。
【００３６】
次に、コピー機１の回路構成について詳細に説明する。
ＡＣ／ＤＣコンバーター１０１の１次側には、整流素子１０５及びコピー機１の本体スイッチ１１１を介して、商用電源１１０が接続される。ＡＣ／ＤＣコンバーター１０１は、例えば、１００Ｖの交流電圧を３．３Ｖの直流電圧に変換して２次側に出力する。ＡＣ／ＤＣコンバーター１０１の出力側には、第２コンデンサＣ２、第１抵抗Ｒ１、第２抵抗Ｒ２及び第１スイッチ１０２が接続される。すなわち、第１抵抗Ｒ１と第２抵抗Ｒ２とは、直列に接続される。また、第１抵抗Ｒ１と第２抵抗Ｒ２とを直列に接続した回路と、第２コンデンサＣ２とは、並列に接続される。
なお、ＡＣ／ＤＣコンバーター１０１は、間欠発振できるものであれば、出力電流が減少した場合に、電力の消費を抑えることができる。
【００３７】
第１スイッチ１０２は、例えば、トランジスター等のスイッチ回路である。第１スイッチ１０２がオン又はオフになることを制御する端子（開閉制御端子（第１スイッチ１０２がトランジスターの場合には、ベース端子））は、第１抵抗Ｒ１と第２抵抗Ｒ２との間と、第４スイッチ１０４とに接続される。
【００３８】
第４スイッチ１０４は、例えば、トランジスター等のスイッチ回路である。第４スイッチ１０４がオン又はオフになることを制御する端子（開閉制御端子（第４スイッチ１０４がトランジスターの場合には、ベース端子））は、第３抵抗Ｒ３を介してスリープＣＰＵ９１に接続される。すなわち、第４スイッチ１０４の開閉制御端子（ベース端子）には、スリープＣＰＵ９１からスリープ信号が供給される。
【００３９】
第４スイッチ１０４は、スリープＣＰＵ９１から低（Ｌｏｗ）のスリープ信号が供給される場合には、オフになる。この場合、第１スイッチ１０２は、開閉制御端子（ベース端子）に直流電圧が供給されるため、オンになる。一方、第４スイッチ１０４は、スリープＣＰＵ９１から高（Ｈｉｇｈ）のスリープ信号が供給される場合には、オンになる。この場合、第１スイッチ１０２は、開閉制御端子（ベース端子）に直流電圧が供給されないため、オフになる。
【００４０】
第１スイッチ１０２の後段には、システムＣＰＵ９２が接続されると共に、ダイオードＤと、第１コンデンサＣ１と、第２スイッチ１０３と、第３コンデンサＣ３とが接続される。また、第４抵抗Ｒ４と第１コンデンサＣ１とは、直列に接続される。さらに、第４抵抗Ｒ４と第１コンデンサＣ１とが直列に接続された回路と、第３コンデンサＣ３とは、並列に接続される。
【００４１】
システムＣＰＵ９２には、電力供給部１００の出力電圧Ｖ１が電源電圧Ｖｃｃとして供給される。
第１スイッチ１０２がオンの場合には、ダイオードＤ及び第４抵抗Ｒ４を介してＡＣ／ＤＣコンバーター１０１から第１コンデンサＣ１に直流電圧が供給される。これにより、第１コンデンサＣ１は、相対的に大容量の電荷を蓄積することが可能である。一方、第１コンデンサＣ１は、第１スイッチ１０２がオフの場合には、放電する。
【００４２】
第２スイッチ１０３は、例えば、トランジスター等のスイッチ回路である。第２スイッチ１０３がオン又はオフになることを制御する端子（開閉制御端子（第２スイッチ１０３がトランジスターの場合には、ベース端子））は、第５抵抗Ｒ５を介して、ＡＣ／ＤＣコンバーター１０１と第１スイッチ１０２との間に電気的に接続される。本体スイッチ１１１がオンの場合には、第５抵抗Ｒ５を介してＡＣ／ＤＣコンバーター１０１から第２スイッチ１０３の開閉制御端子（ベース端子）に直流電圧が供給されるため、第２スイッチ１０３は、オンになる。一方、本体スイッチ１１１がオフの場合には、ＡＣ／ＤＣコンバーター１０１から第２スイッチ１０３の開閉制御端子（ベース端子）に直流電圧が供給されないため、第２スイッチ１０３は、オフになる。
【００４３】
第３コンデンサＣ３の後段には、スリープＣＰＵ９１が接続される。スリープＣＰＵ９１には、電力供給部１００の出力電圧Ｖ２が電源電圧Ｖｃｃとして供給される。そのスリープＣＰＵ９１には、スリープＣＰＵ９１に入力される電源電圧Ｖｃｃの電圧値を測定するために、第６抵抗Ｒ６及び第７抵抗Ｒ７が接続される。スリープＣＰＵ９１は、第６抵抗Ｒ６及び第７抵抗Ｒ７を利用して電源電圧Ｖｃｃの電圧値を監視することにより、第１コンデンサＣ１の蓄電力が低下したか否かを判定する。
【００４４】
次に、本実施形態におけるコピー機１の動作について説明する。
まず、コピー機１が用紙Ｔに画像を形成することが可能な通常モードに設定された場合について説明する。
【００４５】
コピー機１が通常モードに設定されている場合には、本体スイッチ１１１がオンになっているため、ＡＣ／ＤＣコンバーター１０１には、商用電源１１０から交流電圧が供給される。また、コピー機１が通常モードに設定されている場合には、スリープＣＰＵ９１は、低（Ｌｏｗ）のスリープ信号を出力する。このため、第４スイッチ１０４は、オフになる。
【００４６】
ＡＣ／ＤＣコンバーター１０１は、交流電圧を所定の電圧（一例として、３．３Ｖ）の直流電圧に変換して出力する。ＡＣ／ＤＣコンバーター１０１から直流電圧が出力されると、第１スイッチ１０２及び第２スイッチ１０３はそれぞれオンになる。このため、第１コンデンサＣ１では、充電が行われる。また、システムＣＰＵ９２及びスリープＣＰＵ９１のそれぞれに電源電圧Ｖｃｃが供給される。
【００４７】
次に、コピー機１が消費電力を低減する省エネモードに設定される場合について説明する。図４は、省エネモードに設定される場合のコピー機１の動作について説明するためのフローチャートである。
【００４８】
ステップＳＴ１において、スリープＣＰＵ９１は、通常モードから省エネモードに移行するか否かを判断する。例えば、スリープＣＰＵ９１は、所定の時間、コピー機１が動作しなかった場合に、通常モードから省エネモードに移行すると判断する。省エネモードに移行しない場合（Ｎｏ）には、ステップＳＴ１の判断が再度行われる。省エネモードに移行する場合（Ｙｅｓ）には、処理は、ステップＳＴ２に進む。
【００４９】
ステップＳＴ２において、スリープＣＰＵ９１は、高（Ｈｉｇｈ）のスリープ信号を出力する。これにより、第４スイッチ１０４がオンになる一方、第１スイッチ１０２がオフになる。また、本体スイッチ１１１がオンの状態を維持しているため、第２スイッチ１０３は、オンの状態を維持する。そして、第１コンデンサＣ１は放電する。このため、スリープＣＰＵ９１には、第１コンデンサＣ１から電源電圧Ｖｃｃが供給される。そして、スリープＣＰＵ９１は、第６抵抗Ｒ６と第７抵抗Ｒ７とで構成される回路を介して入力される電源電圧Ｖｃｃの電圧値を測定することにより、第１コンデンサＣ１の電圧を監視する。一方、システムＣＰＵ９２は、電源電圧Ｖｃｃが供給されなくなるため、動作を停止する。
【００５０】
ステップＳＴ３において、スリープＣＰＵ９１は、測定している電源電圧Ｖｃｃ（第１コンデンサＣ１の電圧）の電圧値が、所定の電圧値（閾値）未満になったか否かを判断する。ここで、所定の電圧値は、スリープＣＰＵ９１の最低動作電圧よりも高い電圧値である。電源電圧Ｖｃｃの電圧値が所定の電圧値よりも高い場合（Ｎｏ）には、ステップＳＴ３の判断が再度行われる。電源電圧Ｖｃｃの電圧値が所定の電圧値よりも低い場合（Ｙｅｓ）には、処理は、ステップＳＴ４に進む。
【００５１】
ステップＳＴ４において、スリープＣＰＵ９１は、低（Ｌｏｗ）のスリープ信号を出力する。これにより、第４スイッチ１０４がオフになる一方、第１スイッチ１０２がオンになるため、第１コンデンサＣ１は、充電される。
【００５２】
ステップＳＴ５において、スリープＣＰＵ９１は、ステップＳＴ４による第１コンデンサＣ１の充電が完了したか否かを判断する。充電が完了していない場合（Ｎｏ）には、ステップＳＴ５の判断が再度行われる。充電が完了した場合（Ｙｅｓ）には、処理は、ステップＳＴ６に進む。
【００５３】
ステップＳＴ６において、スリープＣＰＵ９１は、所定の時間、カウントを行う。  
【００５４】
ステップＳＴ７において、スリープＣＰＵ９１は、ステップＳＴ６のカウントが終了すると、高（Ｈｉｇｈ）のスリープ信号を出力する。これにより、第４スイッチ１０４がオンになる一方、第１スイッチ１０２がオフになる。このように、第１コンデンサＣ１に対して十分な充電時間を確保することにより、第１コンデンサＣ１は、確実に充電される。そして、第１コンデンサＣ１が放電する。すなわち、スリープＣＰＵ９１には、第１コンデンサＣ１から電源電圧Ｖｃｃが供給される。
ステップＳＴ７の後は、処理は、ステップＳＴ１に戻る。
【００５５】
次に、本体スイッチ１１１がオフにされた場合について説明する。本体スイッチ１１１がオフにされた場合、ＡＣ／ＤＣコンバーター１０１は、商用電源１１０から交流電圧が供給されないため、直流電圧を出力しない。これにより、第１スイッチ１０２及び第２スイッチ１０３がオフになるため、回路本体１２０（スリープＣＰＵ９１及びシステムＣＰＵ９２）には、電源電圧Ｖｃｃが供給されない。
【００５６】
以上説明したように、本実施形態のコピー機１によれば、以下の効果が奏される。
すなわち、本実施形態のコピー機１は、制御部９０によって第１スイッチ１０２を制御することにより、ＡＣ／ＤＣコンバーター１０１と第１コンデンサＣ１とを電気的に接続し又は電気的に非接続とする。また、コピー機１は、ＡＣ／ＤＣコンバーター１０１から直流電圧が出力される場合に、第２スイッチ１０３によって第１コンデンサＣ１と制御部９０（スリープＣＰＵ９１）とを電気的に接続し、ＡＣ／ＤＣコンバーター１０１から直流電圧が出力されない場合に、第２スイッチ１０３によって第１コンデンサＣ１と制御部９０（スリープＣＰＵ９１）とを電気的に非接続とする。したがって、コピー機１は、第２スイッチ１０３を配置したことにより、商用電源１１０が遮断された場合（本体スイッチ１１１がオフにされた場合）に装置全体（例えば、スリープＣＰＵ９１及びシステムＣＰＵ９２等）への電力供給（電源電圧の供給）を確実に且つ速やかに遮断することができる。
【００５７】
また、コピー機１は、ＡＣ／ＤＣコンバーター１０１の２次側に第２スイッチ１０３を配置して、ＡＣ／ＤＣコンバーター１０１の出力に基づいて第２スイッチ１０３のオン又はオフを制御するため、消費電力が増加することを抑えることができる。すなわち、本体スイッチのオフを検出することに基づいて第２スイッチをオフにする場合には、本体スイッチがオフにされたことを検知して、検知結果を第２スイッチに伝送する回路が必要になる。例えば、本体スイッチがオフにされたことの検知結果をフォトカプラーにて伝送する場合には、フォトカプラーのフォトダイオードに約１０ｍＡの電流を供給する必要がある。そして、商用電源の電圧値が１００Ｖの場合には、フォトカプラーの消費電力は、１Ｗとなる。これに対し、本実施形態のコピー機１は、第２スイッチ１０３をオフにする場合に必要な電力は数十ｍＷであり、ＡＣ／ＤＣコンバーター１０１を動作させるのに必要な電力（約０．３Ｗ）を考慮しても、消費電力が増加することを抑えることができる。
【００５８】
また、コピー機１では、交流電圧がＡＣ／ＤＣコンバーター１０１に入力されるのを遮断することが可能な本体スイッチ１１１がＡＣ／ＤＣコンバーター１０１の入力側に接続される。これにより、コピー機１は、本体スイッチ１１１がオフにされた場合に、ＡＣ／ＤＣコンバーター１０１に供給される交流電圧を遮断することができる。
【００５９】
また、コピー機１は、消費電力を低減させるために制御部９０（スリープＣＰＵ９１）によって第１スイッチ１０２を非接続にするよう制御している場合に、制御部９０（スリープＣＰＵ９１）に入力される直流電圧の電圧値を検知した結果が所定の電圧値未満になると、第１スイッチ１０２を電気的に接続する。これにより、コピー機１は、通常モードと省エネモードとを相互に移行させることができる。また、コピー機１は、省エネモードに設定された場合、通常モードに設定された期間に効率よく充電された第１コンデンサＣ１から電源供給を行うため、消費電力を低減させることが可能になる。
【００６０】
また、図５は、電流値と効率との関係を示す図である。例えば、通常モードに設定された場合の電源電圧が３．３Ｖで最大出力電流が１０Ａ、効率が約８０％の電源が存在すると仮定すると、省エネモードに設定された場合の出力電圧が３．３Ｖで出力電流が３００ｍＡとすると、効率は、約４０％となる（図５参照）。これに対し、本実施形態のコピー機１では、省エネモードに設定された際に電力を１時間以上保持できる第１コンデンサＣ１（容量７００Ｆ）を搭載した場合には、第１コンデンサＣ１への充電は、チャージ電流５Ａで約４分かかる。この場合、コピー機１は、第１コンデンサＣ１の負荷電流が５Ａであれば、７５％以上の効率を確保することができる。
【００６１】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
また、コピー機によってトナー画像が定着される被画像形成媒体は用紙Ｔに限定されることはなく、例えば、ＯＨＰ（オーバーヘッドプロジェクター）シート等のフィルムシートであってもよい。
【００６２】
また、本発明の電子機器は、上述したコピー機１に限定されることはない。すなわち、本発明の電子機器は、コピー機能、ファクシミリ機能、プリンター機能及びスキャナー機能を備える複合機であってもよく、プリンターであってもよい。
【符号の説明】
【００６３】
１…コピー機（画像形成装置）、９０…制御部、９１…スリープＣＰＵ、１０１…ＡＣ／ＤＣコンバーター（コンバーター）、１０２…第１スイッチ、１０３…第２スイッチ、１１１…本体スイッチ（第３スイッチ）、Ｃ１…第１コンデンサ（電荷蓄積部）
【図１】
0005686713.tif 000002
【図２】
0005686713.tif 000003
【図３】
0005686713.tif 000004
【図４】
0005686713.tif 000005
【図５】
0005686713.tif 000006